(57)【特許請求の範囲】
【請求項１】
法面に打設されるピンによってシート体を法面に密着させる押さえ部と、この押さえ部に連接し一部を施工時に折り曲げて立設することにより法面に敷設したシート体の一部を飛来種子を捕捉するため法面から浮かせた状態で支持するシート支持部とを備えてなり、 さらに、シート体の横方向に互いに間隔を隔てた状態で複数個設置されることを特徴とする飛来種子捕捉機能付ワッシャ。
【請求項２】
前記シート支持部はシート体を構成するネットに係止する係止部を備える請求項１に記載の飛来種子捕捉機能付ワッシャ。
【請求項３】
前記押さえ部は前記ピンの貫通孔を有し、前記シート支持部は前記ピンの頭部によって立設状態で固定される固定部を有する請求項１または請求項２に記載の飛来種子捕捉機能付ワッシャ。
【請求項４】
前記押さえ部およびシート支持部は一枚の平面板に切り込みを入れて形成されたものであり、施工時に折り曲げることによりシート支持部を立てて立体形状とするものである請求項１〜請求項３の何れか１項に記載の飛来種子捕捉機能付ワッシャ。
【請求項５】
法面に打設されるピンによってシート体を法面に密着させる押さえ部と、この押さえ部に連接し一部を施工時に折り曲げて立設することにより法面の等高線にほぼ合わせた横方向に敷設したシート体の一部を飛来種子を捕捉するため法面から浮かせた状態で支持するシート支持部とを備えてなり、
さらに、シート体の前記横方向に互いに間隔を隔てた状態で複数個設置される一方、
前記押さえ部およびシート支持部は、外形が略円形の一枚の平面板にこの平面板よりも小さな半径の円弧状の切り込みを入れることにより形成され、
前記ピンは前記押さえ部の中心に設けた貫通孔を通して法面に打ち付けられることによりその頭部が前記押さえ部に当たるよう、法面の山側に前記押さえ部の大径部分を配置し、法面の谷側に前記押さえ部の小径部分を配置してなることを特徴とする飛来種子捕捉機能付ワッシャ。
【請求項６】
請求項１〜請求項５の何れか１項に記載の飛来種子捕捉機能付ワッシャと、法面に敷設され一部に飛来種子を捕捉する種子捕捉部を有するシート体とを備え、この種子捕捉部の下部に飛来種子捕捉機能付ワッシャを配置した状態で法面にシート体を押さえ部を介してピンによって固定してあり、かつ、シート支持部によってシート体の種子捕捉部を浮かせた状態で支持させてなることを特徴とする飛来種子捕捉構造。
【発明の詳細な説明】
【技術分野】
【０００１】
本発明は、法面の緑化を達成するための張芝体や植生マットなどのシート体、あるいは植物種子や肥料袋を含まないネットからなるシート体を法面に密着させた状態で保持するためのワッシャであり、とりわけ飛来植物を捕捉するために設けた種子捕捉部を法面から浮かせた状態で支持することができる飛来種子捕捉機能付ワッシャおよび飛来種子捕捉構造に関するものである。
【背景技術】
【０００２】
従来より法面の保護を行なうと共に緑化を図るために張芝体や植生マットなどのシート体を用いることが行なわれている。このようなシート体の中には、植物の生長に必要な肥料を封入してなる袋体を保持させる肥料ポケットを形成するものもある。一方、松などの植物は肥料を追加する必要がなくむしろ肥料を追加しない方がよいため敢えて肥料ポケットに肥料を入れることなく形成することもある。また、現地植物の飛来した種子を捕らえるようにすることも考えられている。さらには、飛来種子を捕捉する飛来種子捕捉部を形成したシートのみを法面に配置することも考えられている。
【０００３】
上記いずれの緑化工法においてもシート体は、種子が発芽して土壌に根をおろし易くするために、シート体の上からワッシャ等を介して五寸釘を法面に打設することにより、シート体を法面に密着させるようにすることができる。また、法面に敷設されるシート体、五寸釘などは植物種子が発芽し法面に根付くことにより不要となるので、腐食して消滅するものであることが好ましい。
【０００４】
特許文献１には、前記ワッシャを生分解性の合成樹脂によって形成し、施工後に公害問題を残すことのないコスト安な張芝体もしくは植生マットの法面定着方法が記載されている。
【先行技術文献】
【特許文献】
【０００５】
【特許文献１】特開平７−１５８０７１号公報
【発明の概要】
【発明が解決しようとする課題】
【０００６】
しかしながら、前記種子捕捉部を設けたシート体を従来のワッシャによって法面に固定すると、飛来種子捕捉部が自重でシート体に重なるため、この飛来種子捕捉部が飛来種子を効率的に捕捉することができないという問題が発生する。
【０００７】
本発明は上述の事柄を考慮に入れてなされたものであり、法面に配置されたシート体を法面に密着できるだけでなく、飛来種子捕捉機能をもつワッシャを提供することを目的とする。
【課題を解決するための手段】
【０００８】
第１発明は、法面に打設されるピンによってシート体を法面に密着させる押さえ部と、この押さえ部に連接し一部を施工時に折り曲げて立設することにより法面に敷設したシート体の一部を飛来種子を捕捉するため法面から浮かせた状態で支持するシート支持部とを備えてなり、 さらに、シート体の横方向に互いに間隔を隔てた状態で複数個設置されることを特徴とする飛来種子捕捉機能付ワッシャを提供する。（請求項１）
【０００９】
前記押さえ部およびシート支持部は押さえ部によってシート体を押さえつけることができ、シート支持部によってシート体の一部を支持できる程度の強度を有するものであり、例えば、板状体からなり、例えば、紙、プラスチック、金属、好ましくは必要十分な強度を有し軽量な生分解性プラスチックからなり、鉄線材のような線状体によっても形成できる。押さえ部は例えば半径数センチメートルの略円形の中央に穴を設けたものであることが好ましく、例えば、半径１〜７．５ｃｍであることにより、運搬容易であると共に展開時に十分な力でシート体を法面に押しつけることができる。なお、押さえ部は板状体のつば状部であることにより、シート体を面によって押さえることができるので、より安定する。
【００１０】
前記ピンは法面に打設されることにより押さえ部を法面に固定することができ、この押さえ部を用いてシート体を法面に密着させるものであり、このピンは例えば５寸釘である。他にもアンカーピン、ずん切りボルトなどを用いても良い。何れにしても、施工後の法面に長期間にわたって人工物を残すことがないように腐食または生分解されるものであることが好ましい。
【００１１】
前記押さえ部はシート体を法面に押さえつけるように例えば数十センチ間隔で打設されるピンによって法面に打ち付けられるものであり、これによってたとえ凹凸がある法面であったとしても押さえ部を介してピンによって法面に密着させることができるので、シート体に付着または接着させた植物種子の発芽・通根を容易とすることができる。また、シート支持部はシート体の一部を法面から数センチメートル浮かせるように支持できるので、この部分に現地種子を捕捉しやすくなる。加えて、前記シート支持部は施工後に法面から立設する突起部を形成するものであるから、このシート支持部自体によって種子を捕捉することも可能である。さらに、前記押さえ部の材質に肥料効果や保水効果を持たせることにより、種子の発芽および生育を促進させることも可能である。
【００１２】
前記シート支持部は押さえ部を水平に配置した状態でほぼ垂直に配置されるように固定的に形成され、この位置関係を保つ強度を有するものであることが考えられる。しかしながら、シート支持部は押さえ部から立ち上げるように折り曲げて形成されるものであってもよい。
【００１３】
前記シート支持部はシート体を構成するネットに係止する係止部を備える場合（請求項２）には、ネットが係止部に係止するのでこれが外れにくく、シート体の一部を安定して支持することができる。ネットは張芝体や植生マットの基材となるものであり、ネットのみからなるシート体であっても、これに確実に係止させて法面から浮かせた状態で保持することができる。
【００１４】
前記係止部の形状はネットにかかる張力によって係止状態が安定するように張力がかかる方向に対して直角以上の角度を有する係止辺によってネットを係止部に安定的に係止させるものであることが好ましい。また、スペーサ機能付ワッシャはネットの一部に形成された切り込みからネットの一部の下側に挿入されるものであり、ネットの一部に形成した切り込みを中心に左右に配置された一対の係止部を備え、左側のネットを右側の係止部に係止させ、右側のネットを左側の係止部に係止させるものであってもよい。これによって、ネットにかかる張力を常に作用させて外れにくくすることができる。
【００１５】
前記押さえ部は前記ピンの貫通孔を有し、前記シート支持部は前記ピンの頭部によって立設状態で固定される固定部を有する場合（請求項３）には、シート支持部の立設状態をピンによって保持することができ、それだけ確実に法面から浮かせた位置にシート体を支持することができる。
【００１６】
前記押さえ部およびシート支持部は搬送時に板状体に切り込みを入れて形成されたものであり、施工時に折り曲げることによりシート支持部を立てて立体形状とするものである場合（請求項４）には、搬送時には重ねて搬送できるので嵩張ることがなく、施工時には、突起物のない一枚の平面板であるためピンの打設がしやすく、また、折り曲げてシート支持部を立設することにより立体形状を形成できるので、作業効率が高くなる。また、第２発明は、法面に打設されるピンによってシート体を法面に密着させる押さえ部と、この押さえ部に連接し一部を施工時に折り曲げて立設することにより法面の等高線にほぼ合わせた横方向に敷設したシート体の一部を飛来種子を捕捉するため法面から浮かせた状態で支持するシート支持部とを備えてなり、
さらに、シート体の前記横方向に互いに間隔を隔てた状態で複数個設置される一方、
前記押さえ部およびシート支持部は、外形が略円形の一枚の平面板にこの平面板よりも小さな半径の円弧状の切り込みを入れることにより形成され、
前記ピンは前記押さえ部の中心に設けた貫通孔を通して法面に打ち付けられることによりその頭部が前記押さえ部に当たるよう、法面の山側に前記押さえ部の大径部分を配置し、法面の谷側に前記押さえ部の小径部分を配置してなることを特徴とする飛来種子捕捉機能付ワッシャを提供する。（請求項５）
【００１７】
第３発明は、請求項１〜請求項５の何れか１項に記載の飛来種子捕捉機能付ワッシャと、法面に敷設され一部に飛来種子を捕捉する種子捕捉部を有するシート体とを備え、この種子捕捉部の下部に飛来種子捕捉機能付ワッシャを配置した状態で法面にシート体を押さえ部を介してピンによって固定してあり、かつ、シート支持部によってシート体の種子捕捉部を浮かせた状態で支持させてなることを特徴とする飛来種子捕捉構造を提供する。（請求項６）
【００１８】
前記飛来種子捕捉構造は飛来種子捕捉機能付ワッシャを用いることによりシート体を法面へ固定すると共に、種子捕捉部を所定の高さに保持することができるので、施工が容易である。また、施工後の種子捕捉部がシート支持部によって法面よりも高い位置に支持されるので、この種子捕捉部に種子が捕捉されやすくなっており、それだけ容易に法面の緑化をはかることができる。
【発明の効果】
【００１９】
前述したように、本発明によれば、シート体を法面に安定して敷設できシート体を法面に密着できるのでシート体に付着させた種子または飛来してきた種子の発芽を促進することができる。また、シート体の一部に設けた種子捕捉部を法面から浮かせた状態で保持することにより、種子の捕捉を容易におこなうことができるので、現地植物による緑化を達成することができる。
【図面の簡単な説明】
【００２０】
【図１】本発明の第１実施形態の飛来種子捕捉機能付ワッシャの例を示す図である。
【図２】前記飛来種子捕捉機能付ワッシャを用いて法面に形成される飛来種子捕捉構造の例を示す図である。
【図３】前記飛来種子捕捉構造を拡大して示す斜視図である。
【図４】前記飛来種子捕捉構造の全体および施工方法を示す図である。
【図５】第２実施形態の飛来種子捕捉機能付ワッシャの例を示す図である。
【図６】第３実施形態の飛来種子捕捉機能付ワッシャの例を示す図である。
【図７】図６に示す飛来種子捕捉機能付ワッシャを用いて形成される飛来種子捕捉構造の例を示す図である。
【図８】第４実施形態の飛来種子捕捉機能付ワッシャの例を示す図である。
【発明を実施するための形態】
【００２１】
以下、図１〜図４を用いて、本発明の第１実施形態に係る飛来種子捕捉機能付ワッシャ１および飛来種子捕捉構造２を説明する。本発明の飛来種子捕捉機能付ワッシャ１は、法面３に打設されるピン４によってシート体５を法面３に密着させる押さえ部６と、この押さえ部６に連接し一部が立設することにより法面３に敷設したシート体５の一部７を法面３から浮かせた状態で支持するシート支持部８とを備える。
【００２２】
本発明の飛来種子捕捉構造２は前記飛来種子捕捉機能付ワッシャ１と、法面３に敷設され一部７に飛来種子１０を捕捉しやすいように目合いを小さく形成した種子捕捉部９を有するシート体５とを備え、この種子捕捉部９の下部に飛来種子捕捉機能付ワッシャ１を配置した状態で法面３にシート体５を押さえ部６を介してピン４によって固定してあり、かつ、シート支持部８によってシート体５の種子捕捉部９を浮かせた状態で支持させてなるものである。
【００２３】
そして、図２では、前記目合いを小さくした種子捕捉部９が法面３の傾斜の下側に来るように配置されているが、本発明は傾斜していない地表面に用いられても良いことはいうまでもなく、この場合には種子補足部９がどの方向に配置されていてもよい。
【００２４】
本実施形態における前記ピン４は例えば錆などの腐食により分解する金属からなる五寸釘であり、押さえ部６の中心に設けた貫通孔６Ａを通して法面３に打ち付けられることによりその頭部４Ａが押さえ部６に当たり、押さえ部６によってシート体５を法面３に押しつけるものである。なお、ピン４の形状は釘型のみならず、アンカーピンやボルトのようなものであってもよい。
【００２５】
本発明のシート体５はシート形状つまり薄く広い形状のもので、法面３を保護することができる程度の強度を有し、本実施形態ではシート体の一例としてのネットである。また、このシート体５は、その一部７に法面３の等高線にほぼ合わせた方向（図４において符号Ｘを付けた方向）につながった袋状の部分を形成している。また、とりわけこの袋状の部分の谷側（図２における左側）に前記ネットの目合いを密にして形成した種子捕捉部９を形成している。なお、本発明におけるシート体５はネットのみならず、張芝体、植生シートなど種々のものを用いることができる。
【００２６】
前記押さえ部６のもともとの外形は略円形が望ましく、他にも楕円形、正方形、長方形、三角形、多角形等の形状でもよい。また、押さえ部６の半径Ｒ１はシート体５を法面３に押さえつけるのに必要十分な大きさであり、例えば半径約１〜７．５ｃｍ程度である。押さえ部６とシート支持部８は生分解性の合成樹脂からなる一枚の平面板よりなり、この平面板に半径Ｒ２の円弧状の切り込み６Ｂを入れることにより、形成されたものである。  
【００２７】
前記押さえ部６とシート支持部８は搬送時には平面板のままの形で搬送されることにより大量の飛来種子捕捉機能付ワッシャ１を効率よく搬送することができ、使用時には切り込み６Ｂによって形成されたシート支持部８を立てることにより立体形状とすることができるように構成している。
【００２８】
これにより搬送時のコスト削減を図り、かつ、現場で飛来種子捕捉機能付ワッシャ１を容易に形成して施工を行なうことができる。なお、１１は飛来種子捕捉機能付ワッシャ１の間に例えば数ｃｍ〜数十ｃｍ間隔で配置された通常のワッシャであり、材料は飛来種子捕捉機能付ワッシャ１と同じ生分解性の合成樹脂からなる。
【００２９】
前記シート支持部８はその揺動端にシート体５を構成するネットに係止する一対の係止部８Ａ，８Ｂを備える。この両係止部８Ａ，８Ｂは互いに反対方向に延設された一対の突起部８ｃよりなり、この突起部８ｃにより形成される係止部８Ａ，８Ｂは、ネットにかかる張力によって係止状態が安定するように張力がかかる方向Ｆａ，Ｆｂ（図３のみに図示）に対してそれぞれ直角以上の角度を有する係止辺８ｄ，８ｅを備える。
【００３０】
図４はシート体５を法面３に打ち付けて保持する工程を説明する図である。法面３に敷設したシート体５の一部７にはループ状のネットを形成してあり、このループ状のネットに飛来種子捕捉部９を形成している。法面３の傾斜に合わせた横方向Ｘに飛来種子捕捉部９の長手方向を合わせて敷設した後に、生分解性の合成樹脂からなる平ワッシャ１１によって例えば数十ｃｍ間隔で押さえつけられるように固定する。また、シート体５の一部７に縦方向（Ｙ方向）に切り込み７Ａを形成した後に、この切り込み７Ａからシート体５の一部７の下側に飛来種子捕捉機能付ワッシャ１を挿入し、ピン４を法面に打設して押さえ部６によってシート体５を法面に密着させると共に、シート支持部８を立設させてその係止部８Ａ、８Ｂに両側のシート体５の一部のネットを交差させるようにして係止して固定する。
【００３１】
上述の実施形態では、シート支持部８を平面視下から上方向に立設する例を示しているが、本発明は飛来種子捕捉機能付ワッシャ１を配置する方向を前記実施形態に示す方向に限定されるものではなく、例えば法面３の上方から下方に立設させるように配置されていても、左右方向いずれの方向から立設させる方向に配置されていてもよいことはいうまでもない。
【００３２】
図３に示すように、切り込み７Ａによって裂かれた飛来種子捕捉部９を構成するシート体５の一部７を重ねるようにして係止部８Ａ，８Ｂに係止させることにより、シート体５の一部７を法面３から浮かせた状態で保持できると共に、シート体５の一部７の縦糸にかかる縦方向の張力によってシート支持部８の立設状態を維持することができる。
【００３３】
前記飛来種子捕捉構造２によれば、法面３の保護を行なうだけでなく、現地飛来種子１０を種子捕捉部９を法面３から浮かせた状態で保持できるので、この種子捕捉部９の構成によって捕捉することができ、これらの種子１０が法面３を転げ落ちることを防止し、これらの種子１０の発芽・通芽などの成長を助けることができる。
【００３４】
また、前記飛来種子捕捉機能付ワッシャ１、シート体５、種子捕捉部９、ピン４の何れも長期的には腐食する材料からなるので、緑化が達成され、地盤が安定した後は消失するのでこれらが環境を汚染することはない。
【００３５】
図５は本発明の第２実施形態の飛来種子捕捉機能付ワッシャ２０を示す図である。図５に示す例では、シート支持部８の立設状態を保持させるため押さえ部６との連接部近傍に設けられ、先端部に拡径部２１Ａを形成してなる突起２１と、この突起２１の拡径部２１Ａを嵌合させることによりこれを嵌合支持する貫通孔からなる嵌合部２２とを備える。
【００３６】
本実施形態のように構成された飛来種子捕捉機能付ワッシャ２０は、シート支持部８の立設状態を確実に保護することができるので、それだけ、飛来種子捕捉機能付ワッシャ２０の安定化を図ることができる。その他の構成および施工方法は第１実施形態と同じであるから、同じ符号を付すことにより重複説明を避ける。
【００３７】
図６は本発明の第３実施形態の飛来種子捕捉機能付ワッシャ３０を示す図である。図６に示す例では、シート支持部８の揺動端の中心部に、法面３に打ち込まれるピンとしてのＬ字アンカーピン３１の頭部３１Ａを固定するように切り欠いて形成した固定部３２を備える。本実施形態のように構成された飛来種子捕捉機能付ワッシャ３０は法面３の山側に押さえ部６の大径部分を配置し、法面３の谷側に押さえ部６の小径部分を配置し、前記アンカーピン３１の頭部３１Ａが山側に向かうようにして打設することにより、元の平面に戻ろうとするシート支持部８の揺動を確実に阻止して、飛来種子捕捉機能付ワッシャ３０の形状を安定させることができる。その他の構成については第１，２実施形態と同じ符号を付すことにより重複説明を避ける。
【００３８】
図７は第３実施形態の飛来種子捕捉機能付ワッシャ３０を用いて形成した飛来種子捕捉構造３３の構成を示す図である。本実施形態の飛来種子捕捉構造３３ではピンとしてのＬ字アンカーピン３１が法面３に打ち付けられることにより、頭部３１Ａが固定部３２に当接し、シート支持部８を法面３に押しつけると共にこれに連接する押さえ部６を介してシート体５を法面３に押しつけることができる。一方、シート支持部８の係止部８Ａ，８Ｂにシート体５を構成するネットを係止させることにより、シート体５の一部７（種子捕捉部９）を法面３から浮かせた状態で支持することができる。
【００３９】
図８は第４実施形態の飛来種子捕捉機能付ワッシャ４０の構成を示す図である。本実施形態の飛来種子捕捉機能付ワッシャ４０は、一枚板にほぼ点対称にくりぬいて形成されるシート支持部４１，４２を有し、これら一対のシート支持部４１，４２の揺動端近傍に設けた切り欠き４１Ａ，４２Ａを互いに噛み合わせるようにして組み付けることにより、立設状態を保持することができるように形成している。また、シート支持部４１，４２の揺動端近傍にはシート体５を構成するネットに係止する係止部４１Ｂ，４２Ｂを備えており、これらは前記係止部８Ａ，８Ｂと同様にネットにかかる張力によってネットの係止状態が安定する形状に形成している。
【００４０】
上述のように構成された飛来種子捕捉機能付ワッシャ４０は第１〜第３実施形態と同様にシート体５の一部７に形成した切り込み７Ａ（図３，図４参照）を介して種子捕捉部９の下側に挿入してピン４によって法面３に固定されることにより略円盤形状の押さえ部４３を介してシート体５を法面３に押しつけることができる。このとき、押さえ部４３の半径Ｒを大きく形成することができるので、安定感が向上する。次いで、切り裂いたシート体５の一部７を重ねるようにしてそのネットを前記係止部４１Ｂ，４２Ｂに係止させることにより、種子捕捉部９を法面３から浮かせた状態で安定支持することができる。
【符号の説明】
【００４１】
１，２０，３０，４０  飛来種子捕捉機能付ワッシャ
２  飛来種子捕捉構造
３  法面
４，３１  ピン
５  シート体
６  押さえ部
７  シートの一部
８  シート支持部
８Ａ，８Ｂ  係止部
９  種子捕捉部
１０  飛来種子
３１Ａ  頭部
３２  固定部
【図１】
0006433693.tif 000002
【図２】
0006433693.tif 000003
【図３】
0006433693.tif 000004
【図４】
0006433693.tif 000005
【図５】
0006433693.tif 000006
【図６】
0006433693.tif 000007
【図７】
0006433693.tif 000008
【図８】
0006433693.tif 000009